(57)【要約】【課題】ユーザに負担をかけることが少なく、可能な限り電力消費を抑制する。【解決手段】３セグメント放送と１セグメント放送のいずれかから選択的に受信を行う。筐体の開閉状態など使用状態を検出し、デジタル放送受信部２が３セグメント放送または１セグメント放送から受信を行っている場合に、筐体の開閉状態などの検出結果に基づいて前記デジタル放送受信部２における切り換を行う。【選択図】図６
2008067196.tif 000002
【特許請求の範囲】
【請求項１】
音声及びデータにて放送する第１の放送と、音声のみにて放送する第２の放送とのいずれかから選択的に受信を行うデジタル放送受信部と、
通信機能部と、
前記通信機能部に関する使用状態を検出する検出手段と、
前記デジタル放送受信部が第１の放送または第２の放送から受信を行っている場合に、前記検出手段の検出結果に基づいて前記デジタル放送受信部における放送切り換えを行う切換手段と
を具備することを特徴とする携帯通信端末。
【請求項２】
前記第１の放送は３セグメント放送であり、前記第２の放送は１セグメント放送であることを特徴とする携帯通信端末。
【請求項３】
情報を表示する表示部と、
前記切換手段が切り換えを行う前に切換許可メッセージを前記表示部に表示する表示制御手段と、
切換許可メッセージに対する応答入力に基づいて、前記切換手段による切り換えを制御する切換制御手段と
を具備することを特徴とする請求項１または２に記載の携帯通信端末。
【請求項４】
切換手段による放送の切り換え条件情報が記憶された条件情報記憶部を備え、
前記切換手段は、前記条件情報記憶部の情報に基づき放送を切り換えることを特徴とする請求項１乃至３のいずれか１項に記載の携帯通信端末。
【請求項５】
条件情報記憶部には、筐体の折り畳み状態、バッテリ残量、所定時間のキー操作無状態、表示部の使用状態、録音またはダウンロード中に関する情報が記憶されていることを特徴とする請求項４に記載の携帯通信端末。
【請求項６】
条件情報記憶部には、筐体の折り畳み状態、バッテリ残量、所定時間のキー操作無状態、表示部の使用状態に関し、第１の放送から第２の放送へ放送を切り換える切換条件情報、第２の放送から第１の放送へ放送を復帰させる復帰条件情報が記憶されており、
切換手段は、条件情報記憶部に記憶された条件情報及び復帰条件情報に基づき、第１の放送を選択しているときに検出手段により切換条件情報に該当する状態が検出されると、第１の放送から第２の放送へ放送切り換えを行い、また、第２の放送を選択しているときに復帰条件情報に該当する状態が検出されると、第２の放送から第１の放送へ放送選択を復帰させることを特徴とする請求項５に記載の携帯通信端末。
【請求項７】
検出手段は、筐体が折り畳まれた閉状態と開かれた開状態を検出する開閉検出部の出力を用いる検出手段であり、
切換手段は、条件情報記憶部に記憶された筐体の折り畳み状態に関する条件情報に基づき、第１の放送を選択しているときに前記開閉検出部により開状態から閉状態への変化が検出されると、第１の放送から第２の放送へ放送切り換えを行うことを特徴とする請求項６に記載の携帯通信端末。
【請求項８】
検出手段は、筐体が折り畳まれた閉状態と開かれた開状態を検出する開閉検出部の出力を用いる検出手段であり、
切換手段は、条件情報記憶部に記憶された筐体の折り畳み状態に関する復帰条件情報に基づき、第２の放送を選択しているときに前記開閉検出部により閉状態から開状態への変化が検出されると、第２の放送から第１の放送へ放送選択を復帰させることを特徴とする請求項６または７に記載の携帯通信端末。
【請求項９】
検出手段は、電源容量を検出する容量検出部の出力を用いる検出手段であり、
切換手段は、条件情報記憶部に記憶されたバッテリ残量に関する条件情報に基づき、第１の放送を選択しているときに前記容量検出部により検出された電源の残量が所定以下となった場合に、第１の放送から第２の放送へ放送切り換えを行うことを特徴とする請求項６に記載の携帯通信端末。
【請求項１０】
検出手段は、電源容量を検出する容量検出部の出力を用いる検出手段であり、
切換手段は、条件情報記憶部に記憶されたバッテリ残量に関する復帰条件情報に基づき、第２の放送を選択しているときに前記容量検出部により検出された電源の残量が所定より多くなった場合に、第２の放送から第１の放送へ放送選択を復帰させることを特徴とする請求項６または９に記載の携帯通信端末。
【請求項１１】
検出手段は、キー操作の有無を検出する検出手段であり、
切換手段は、条件情報記憶部に記憶された所定時間のキー操作無状態に関する条件情報及び復帰条件情報に基づき、第１の放送を選択しているときに前記検出手段により検出されたキー操作無し時間が所定時間以上となると、第１の放送から第２の放送へ放送切り換えを行い、また、第２の放送を選択しているときに前記検出手段によりキー操作ありが検出されると、第２の放送から第１の放送へ放送選択を復帰させることを特徴とする請求項６に記載の携帯通信端末。
【請求項１２】
条件情報記憶部には、表示部の使用状態が第１の放送からの受信情報表示以外に用いていることを条件情報とし、表示部の使用状態が第１の放送からの受信情報表示に用いていることを復帰条件情報として記憶されており、
検出手段は、実行中のプログラムに基づき条件情報または復帰条件情報の成立を検出する検出手段であり、
切換手段は、第１の放送を選択しているときに前記検出手段により条件情報の成立が検出された場合に、第１の放送から第２の放送へ放送切り換えを行い、また、第２の放送を選択しているときに前記検出手段により復帰条件情報の成立が検出された場合に、第２の放送から第１の放送へ放送選択を復帰させることを特徴とする請求項６に記載の携帯通信端末。
【請求項１３】
条件情報記憶部には、実行中のプログラムに基づき第１の放送の放送について受信中に第２の放送へ放送選択を切り換ることを禁止する切換禁止条件情報が記憶され、
切換手段は、検出手段の検出に拘らず条件情報記憶部に記憶された切換禁止条件情報に該当する場合には、第１の放送から第２の放送へ放送切り換えを行わないことを特徴とする請求項５に記載の携帯通信端末。
【請求項１４】
条件情報記憶部には、切換禁止条件情報として第１の放送から録音時またはダウンロード時であることが記憶され、
切換手段は、検出手段により、第１の放送から第２の放送へ放送切り換えに該当する状態検出が行われた場合にも、第１の放送から録音時またはダウンロード時には、第１の放送から第２の放送へ放送切り換えを行わないことを特徴とする請求項１３に記載の携帯通信端末。
【請求項１５】
放送受信予約機能を備えると共に、
予約番組のジャンルに対応付けて、予め第１の放送と第２の放送のいずれから受信するかを示す情報が記憶されたメモリテーブルを備え、
前記切換手段は、前記メモリテーブルの情報に基づいて放送の切り換えを行うことを特徴とする請求項１ないし１４のいずれか１項に記載の携帯通信端末。
【発明の詳細な説明】
【技術分野】
【０００１】
この発明は、携帯電話機などの携帯通信端末に関し、デジタルラジオ放送を受信可能な携帯通信端末に関するものである。
【背景技術】
【０００２】
近年、携帯電話機などの携帯通信端末の多機能化・高機能化が進行し、地上デジタルラジオ放送を受信可能な携帯通信端末が登場しようとしている。このような携帯通信端末においては、電源供給がバッテリによって行われており、放送受信によりバッテリ消費が進み、充電間隔が短くなることが予測される。
【０００３】
しかしながら、充電間隔が短くなることは問題であり、放送受信によりバッテリ消費が進むことを許容しつつ、ユーザに負担をかけることが少なく、可能な限り電力消費を抑制する工夫が要請されている。
【０００４】
例えば、特許文献１には、デジタル放送受信機において、バッテリ使用時には電力消費が少ない放送サービスに切り換えることが開示されている。また、特許文献２には、地上デジタル放送用チューナモジュールにおいて、受信した画像の出力画面サイズに応じて１２セグメント受信と１セグメント受信とを切り換えることが開示されている。
【特許文献１】特開２００４−３６４０９５号公報
【特許文献２】特開２００４−２８９７１２号公報
【発明の開示】
【発明が解決しようとする課題】
【０００５】
上記のように消費電力を意識したと思える改良はあるものの、携帯通信端末における特性を考慮して消費電力の低減を図るものではなかった。本発明は、携帯通信端末における係る現状に鑑みてなされたもので、その目的は、ユーザに負担をかけることが少なく、可能な限り電力消費を抑制できる携帯通信端末を提供することである。
【課題を解決するための手段】
【０００６】
本発明に係る携帯通信端末は、音声及びデータにて放送する第１の放送と、音声のみにて放送する第２の放送とのいずれかから選択的に受信を行うデジタル放送受信部と、
通信機能部と、前記通信機能部に関する使用状態を検出する検出手段と、前記デジタル放送受信部が第１の放送または第２の放送から受信を行っている場合に、前記検出手段の検出結果に基づいて前記デジタル放送受信部における放送切り換えを行う切換手段とを具備することを特徴とする。
【０００７】
本発明に係る携帯通信端末では、前記第１の放送は３セグメント放送であり、前記第２の放送は１セグメント放送であることを特徴とする。
【０００８】
本発明に係る携帯通信端末は、情報を表示する表示部と、前記切換手段が切り換えを行う前に切換許可メッセージを前記表示部に表示する表示制御手段と、切換許可メッセージに対する応答入力に基づいて、前記切換手段による切り換えを制御する切換制御手段とを具備することを特徴とする。
【０００９】
本発明に係る携帯通信端末は、切換手段による放送の切り換え条件情報が記憶された条件情報記憶部を備え、前記切換手段は、前記条件情報記憶部の情報に基づき放送を切り換えることを特徴とする。
【００１０】
本発明に係る携帯通信端末は、条件情報記憶部には、筐体の折り畳み状態、バッテリ残量、所定時間のキー操作無状態、表示部の使用状態、録音またはダウンロード中に関する情報が記憶されていることを特徴とする。
【００１１】
本発明に係る携帯通信端末では、条件情報記憶部には、筐体の折り畳み状態、バッテリ残量、所定時間のキー操作無状態、表示部の使用状態に関し、第１の放送から第２の放送へ放送を切り換える切換条件情報、第２の放送から第１の放送へ放送を復帰させる復帰条件情報が記憶されており、切換手段は、条件情報記憶部に記憶された条件情報及び復帰条件情報に基づき、第１の放送を選択しているときに検出手段により切換条件情報に該当する状態が検出されると、第１の放送から第２の放送へ放送切り換えを行い、また、第２の放送を選択しているときに復帰条件情報に該当する状態が検出されると、第２の放送から第１の放送へ放送選択を復帰させることを特徴とする。
【００１２】
本発明に係る携帯通信端末では、検出手段は、筐体が折り畳まれた閉状態と開かれた開状態を検出する開閉検出部の出力を用いる検出手段であり、切換手段は、条件情報記憶部に記憶された筐体の折り畳み状態に関する条件情報に基づき、第１の放送を選択しているときに前記開閉検出部により開状態から閉状態への変化が検出されると、第１の放送から第２の放送へ放送切り換えを行うことを特徴とする。
【００１３】
本発明に係る携帯通信端末は、検出手段は、筐体が折り畳まれた閉状態と開かれた開状態を検出する開閉検出部の出力を用いる検出手段であり、切換手段は、条件情報記憶部に記憶された筐体の折り畳み状態に関する復帰条件情報に基づき、第２の放送を選択しているときに前記開閉検出部により閉状態から開状態への変化が検出されると、第２の放送から第１の放送へ放送選択を復帰させることを特徴とする
【００１４】
本発明に係る携帯通信端末では、検出手段は、電源容量を検出する容量検出部の出力を用いる検出手段であり、切換手段は、条件情報記憶部に記憶されたバッテリ残量に関する条件情報に基づき、第１の放送を選択しているときに前記容量検出部により検出された電源の残量が所定以下となった場合に、第１の放送から第２の放送へ放送切り換えを行うことを特徴とする。
【００１５】
本発明に係る携帯通信端末は、検出手段は、電源容量を検出する容量検出部の出力を用いる検出手段であり、切換手段は、条件情報記憶部に記憶されたバッテリ残量に関する復帰条件情報に基づき、第２の放送を選択しているときに前記容量検出部により検出された電源の残量が所定より多くなった場合に、第２の放送から第１の放送へ放送選択を復帰させることを特徴とする。
【００１６】
本発明に係る携帯通信端末では、検出手段は、キー操作の有無を検出する検出手段であり、切換手段は、条件情報記憶部に記憶された所定時間のキー操作無状態に関する条件情報及び復帰条件情報に基づき、第１の放送を選択しているときに前記検出手段により検出されたキー操作無し時間が所定時間以上となると、第１の放送から第２の放送へ放送切り換えを行い、また、第２の放送を選択しているときに前記検出手段によりキー操作ありが検出されると、第２の放送から第１の放送へ放送選択を復帰させることを特徴とする。
【００１７】
本発明に係る携帯通信端末では、条件情報記憶部には、表示部の使用状態が第１の放送からの受信情報表示以外に用いていることを条件情報とし、表示部の使用状態が第１の放送からの受信情報表示に用いていることを復帰条件情報として記憶されており、検出手段は、実行中のプログラムに基づき条件情報または復帰条件情報の成立を検出する検出手段であり、切換手段は、第１の放送を選択しているときに前記検出手段により条件情報の成立が検出された場合に、第１の放送から第２の放送へ放送切り換えを行い、また、第２の放送を選択しているときに前記検出手段により復帰条件情報の成立が検出された場合に、第２の放送から第１の放送へ放送選択を復帰させることを特徴とする。
【００１８】
本発明に係る携帯通信端末では、条件情報記憶部には、実行中のプログラムに基づき第１の放送の放送について受信中に第２の放送へ放送選択を切り換ることを禁止する切換禁止条件情報が記憶され、切換手段は、検出手段の検出に拘らず条件情報記憶部に記憶された切換禁止条件情報に該当する場合には、第１の放送から第２の放送へ放送切り換えを行わないことを特徴とする。
【００１９】
本発明に係る携帯通信端末では、条件情報記憶部には、切換禁止条件情報として第１の放送から録音時またはダウンロード時であることが記憶され、切換手段は、検出手段により、第１の放送から第２の放送へ放送切り換えに該当する状態検出が行われた場合にも、第１の放送から録音時またはダウンロード時には、第１の放送から第２の放送へ放送切り換えを行わないことを特徴とする。
【００２０】
本発明に係る携帯通信端末は、放送受信予約機能を備えると共に、予約番組のジャンルに対応付けて、予め第１の放送と第２の放送のいずれから受信するかを示す情報が記憶されたメモリテーブルを備え、前記切換手段は、前記メモリテーブルの情報に基づいて放送の切り換えを行うことを特徴とする。
【発明の効果】
【００２１】
本発明に係る携帯通信端末では、デジタル放送受信部が第１の放送または第２の放送から受信している場合に、通信機能部に関する使用状態の検出結果に基づいて上記デジタル放送受信部における放送選択の切り換えを行うので、通信機能部に関する使用状態に応じて消費電流が低い第２の放送の受信へ移行させることが可能であり、このような移行により消費電力の低減を図ることができる。
【発明を実施するための最良の形態】
【００２２】
以下添付図面を参照して、本発明に係る携帯通信端末の実施例を説明する。各図において同一の構成要素には同一の符号を付して重複する説明を省略する。図１には、本実施例に係る携帯通信端末として、携帯電話機の構成図が示されている。この携帯電話機にあっては、主制御部２０が装置を統括制御する。電話機能やメール送受信を実現する通信機能部１を構成するため、アンテナ１１に接続された無線部１２、変復調器１３、多重化分離部１４、スピーカ１６とマイクロフォン１７が接続された音声・画像処理部１５が備えられている。
【００２３】
アンテナ１１から到来した信号は無線部１２によりダウンコンバートされ変復調器１３へ送られる。変復調器１３では、信号の復調が行なわれ、多重化分離部１４へ送られる。多重化分離部１４は、多重化された情報を分離して音声データとし音声・画像処理部１５へ送る。これを受けて音声・画像処理部１５は、音声データを音声信号へ変えてスピーカ１６から音声を出力させる。
【００２４】
マイクロフォン１７から入力された音声信号は音声・画像処理部１５においてデータ化されて多重化分離部１４へ送られる。多重化分離部１４では、音声データを多重化して変復調部１３へ送る。変復調部１３では、多重化分離部１４の出力を変調して無線部１２へ送り、無線部１２では信号をアップコンバートしてアンテナ１１から送出する。なお、品質監視部２３は、電界強度などを監視して受信品質を主制御部２０へ送り、主制御部２０によるチャネルの切り換えなどに用いられる。
【００２５】
主制御部２０には、キー操作部２２が接続され、キー操作部２２において操作入力されたデータは主制御部２０に受け取られて分析され、これに基づく対応の処理が行われる。メールの送受の場合は、メールに係るデータは主制御部２０と多重化分離部１４とにより送受される。また、主制御部２０には、携帯電話機筐体の開閉状態（２枚に折り畳まれた状態と開かれた状態）を検出するため、例えば、磁石とホール素子から構成される開閉検出部２４が接続され、主制御部２０は筐体の開閉情報を得ることができる。また、主制御部２０は、電源部・容量検出部２５から電源であるバッテリの容量情報を得ている。
【００２６】
この携帯電話機は、地上デジタルラジオ放送を受信するデジタル放送受信部２として、フロントエンド部３０とバックエンド部４０とを備える。地上デジタルラジオ放送は、同一コンテンツを３セグメントによる音声及びデータ（画像）による放送と１セグメントによる音声のみの放送とによって同時同一内容を放送することが予定されており、本実施例ではこれらのいずれについても選択受信可能となっており、後に述べるように、通信機能部１に関する使用状態を検出し、その検出結果に基づいて上記デジタル放送受信部２における放送切り換えを行う。即ち、同時同一内容放送を音声及びデータにて放送する第１の放送(３セグメント放送)と、音声のみにて放送する第２の放送(１セグメント放送)とのいずれかから選択的に受信するかの切り換えを行う。
【００２７】
フロントエンド部３０には、テレビアンテナ３３が接続された無線部３２と、この無線部３２に接続されているＯＦＤＭ復調部３１が備えられている。無線部３２はテレビアンテナ３３から電波受信を行いダウンコンバートしてＯＦＤＭ復調部３１へ信号を送る。ＯＦＤＭ復調部３１は無線部３２から送られた信号を直交周波数分割多重復調して、ＭＰＥＧ２−ＴＳ（ＭＰＥＧ２トランスポートストリーム）を得る。バックエンド部４０には、ＭＰＥＧデマルチプレクサ４１、画像処理部４２、ＬＣＤインタフェース４３、制御部４４、ＤＲＡＭ４５、音声処理部４６が設けられている。制御部４４は主制御部２０の基に動作し、ＤＲＡＭ４５のデータを用いて各部を制御する。
【００２８】
ＭＰＥＧデマルチプレクサ４１は、多重化されたＭＰＥＧ２トランスポートストリームについて多重化データの分離を行って音声データを音声処理部４６へ送り、画像データを画像処理部４２へ送る。画像処理部４２は、画像データから表示用の画像信号を作成してＬＣＤインタフェース４３を介してＬＣＤ１８に送り画像表示を行う。音声処理部４６では、音声データを音声信号に変換してスピーカ１６から音声を出力する。
【００２９】
以上の携帯電話機の構成において、フロントエンド部３０とバックエンド部４０とが図１に示されるように、デジタル放送受信部２である。これに対し、本実施例では、図１の符号１にて示すデジタル放送受信部２以外の部分が通信機能部１であり、通信機能部１は、アンテナ１１とそれに接続された無線部１２、変復調器１３、多重化分離部１４、スピーカ１６とマイクロフォン１７、音声・画像処理部１５、ＬＣＤ１８、主制御部２０や品質監視部２３のほか、開閉検出部２４及び開閉検出部２４が検出する対象である筐体の開閉機構、電源部・容量検出部２５などを広く含む構成を指している。
【００３０】
主制御部２０は、図２に示されるようなモード・機能を実現するプログラムを備える。即ち、メール送受信モード、インターネット（ｗｅｂブラウザ）、地上デジタルラジオ放送受信・録音・ダウンロード・モード、ＥＰＧによる放送受信予約機能である。
【００３１】
主制御部２０は、地上デジタルラジオ放送受信時に電力消費を抑制する処理を実行するために、図３に示すように、検出手段５１、切換手段５２、表示制御手段５３、切換制御手段５４、条件情報記憶部５５、メモリテーブル５６を備える。これらの手段は、条件情報記憶部５５、メモリテーブル５６を除き、プログラムにより実現されるものである。
【００３２】
検出手段５１は、通信機能部１が音声通話やメール機能に関する使用状態となっているかなどを検出するもので、開閉検出部２４の出力を用いて検出を行い、電源部・容量検出部２５の出力を用いて検出を行い、また、キー操作部２２におけるキー操作の有無を検出し、実行中のプログラムに基づき表示部であるＬＣＤ１８の使用状態が、第１の放送から受信した受信情報表示に用いているか否かを検出するものである。切換手段５２は、デジタル放送受信部が３セグメント放送または１セグメント放送の受信を行っている場合に、検出手段５１の検出結果に基づいてデジタル放送受信部における放送切り換えを行うものである。表示制御手段５３は、切換手段５２が切り換えを行う前に切換許可メッセージを表示部を構成するＬＣＤ１８に表示するものである。切換制御手段５４は、切換許可メッセージに対する応答入力に基づいて、切換手段５２による切り換えを制御するものである。
【００３３】
条件情報記憶部５５は、切換手段５２による放送の切り換え条件情報が記憶されたものであり、例えば、図４に示すように、筐体の折り畳み状態では、切換許可メッセージなく１セグメント放送からの受信へ移行することを示す条件情報が記憶されている。また、切換許可メッセージを表示して許可があった場合に１セグメント放送からの受信へ移行するものとして、バッテリ残量が所定以下に低下した場合、所定時間のキー操作が無い場合、表示部であるＬＣＤの使用状態が地上デジタル放送用でない場合（ＬＣＤ全面をメール送受信やインターネットサイト視聴に用いている場合など）を示す条件情報が記憶されている。これらの逆の動き（例えば、充電状態とされてバッテリ残量が所定以下から脱した場合や、ＬＣＤ全面をメール送受信やインターネットサイト視聴に用いている状態の解除の場合）に対しては、受信放送を３セグメント放送へ復帰させる復帰条件情報の設定がなされている。これ以外に、３セグメント放送から録音またはダウンロード中の場合には、１セグメント放送からの受信へ移行しないこと（切換禁止条件情報）が設定されている。
【００３４】
メモリテーブル５６には、ＥＰＧによる予約番組のジャンルに対応付けて、予め３セグメント放送と１セグメント放送のいずれから受信するかを示す情報が記憶されている。図５に、メモリテーブル５６に記憶された情報の内容が示されており、この例では、ニュースとスポーツが１セグメント放送から受信する設定となっている。
【００３５】
以上のような構成を備えた携帯電話機の主制御部２０は、３セグメント放送と１セグメント放送からの受信に関し、図６、図７、図８に示されるフローチャートに対応するプログラムを実行して各手段を実現するので、このフローチャートに基づき動作を説明する。図６は、筐体の折り畳み状態に対応した動作である。当初、３セグメント放送のデジタルラジオ放送受信を行っている場合（ＳＴ１１）において、筐体が閉状態（折り畳み状態）を開閉検出部２４の出力に基づき検出し（Ｓ２１）、筐体が閉状態となったことが検出されるとＯＦＤＭ復調部３１及びバックエンド部４０の制御部４４へ制御情報を送って１セグメント放送のデジタルラジオ放送受信に選択切り換えする（Ｓ２２）。これにより、１セグメント放送のデジタルラジオ放送を受信している状態（ＳＴ１２）へ移行する。
【００３６】
１セグメント放送のデジタルラジオ放送を受信している状態（ＳＴ１２）において、筐体が開状態（開かれた状態）を開閉検出部２４の出力に基づき検出し（Ｓ２３）、筐体が開状態となったことが検出されるとＯＦＤＭ復調部３１及びバックエンド部４０の制御部４４へ制御情報を送って３セグメント放送のデジタルラジオ放送受信に切り換え（Ｓ２４）、放送選択を復帰させる。これにより、再び３セグメント放送のデジタルラジオ放送受信を行っている状態（ＳＴ１１）へ移行する。状態ＳＴ１１、ＳＴ１２にあっては、地上デジタルラジオ放送の受信オフを検出し、オフの操作を受けてこのフローチャートに対応する処理を終了する。この図６に示すフローチャートに対応する処理は、開閉検出部２４の出力に基づく場合の処理を別に分けて行うものであるが、次に説明する図７に示すフローチャートに対応する処理において併せて行うようにしても良い。
【００３７】
主制御部２０は図７に示すようにデジタルラジオ放送の受信をスタートさせ、３セグメント放送のデジタルラジオ放送受信を行っている状態（ＳＴ１１）において、通信機能部１に関する使用状態に変化があったかを検出している（Ｓ３１）。即ち、バッテリ残量が所定以下に低下したかを電源部・容量検出部２５の出力に基づき検出し、所定時間のキー操作が無い状態かをキー操作部２２から割り込みに基づき検出し、表示部であるＬＣＤ１８の使用状態が地上デジタル放送用でないかをメール送受信モードやｗｅｂブラウザの起動中等の実行中のプログラムに基づき検出を行う。
【００３８】
ステップＳ３１において、通信機能部１に関する使用状態に変化ありを検出すると、条件情報記憶部５５の検索を行い、当該変化に該当する切換条件情報を検出し（Ｓ３２）、次に１セグメント放送への切換禁止条件情報に該当するかを検出し（Ｓ３３）、３セグメント放送について録音時またはダウンロード時には切換禁止条件情報に該当することとなり、状態ＳＴ１１を継続する。一方、ステップＳ３３において切換禁止条件情報に該当せずにＮＯへ分岐すると、切換条件情報が切換許可メッセージを表示することであるかを検出する（Ｓ３４）。
【００３９】
ステップＳ３４においてＹＥＳへ分岐すると、例えば「１セグメント受信にしますか？  はい・いいえ」などという切換許可メッセージをＬＣＤ１８へ表示し（Ｓ３５）、入力が「はい」と「いいえ」のいずれであるかを検出する（Ｓ３６）。このステップＳ３６において「いいえ」が入力(操作)されたことが検出されると、状態ＳＴ１１を継続する。一方、ステップＳ３６において「はい」が入力されたことが検出されると、ＯＦＤＭ復調部３１及びバックエンド部４０の制御部４４へ制御情報を送って１セグメント放送のデジタルラジオ放送受信に切り換える（Ｓ３７）。これにより、１セグメント放送のデジタルラジオ放送受信を行っている状態（ＳＴ１２）へ移行する。
【００４０】
１セグメント放送のデジタルラジオ放送受信を行っている状態（ＳＴ１２）において、条件情報記憶部５５に記憶された復帰条件情報に基づき受信放送を３セグメント放送へ変更する復帰条件の成立を監視しており（Ｓ３８）、例えばインターネットサイト視聴などが終了し、この復帰条件が成立すると、ＯＦＤＭ復調部３１及びバックエンド部４０の制御部４４へ制御情報を送って３セグメント放送のデジタルラジオ放送受信に切り換える（Ｓ３９）。これにより、再び３セグメント放送のデジタルラジオ放送受信を行っている状態（ＳＴ１１）へ移行する。
【００４１】
この図７に示すフローチャートに対応する処理において開閉検出部２４の出力に基づく場合の処理を行う場合には、閉状態検出によりステップＳ３１からステップＳ３４へ進み、このステップＳ３４においてＮＯへ分岐して、ステップＳ３７において１セグメント放送のデジタルラジオ放送受信に切り換える。このように本実施例では、放送を切り換える条件情報が記憶された条件情報記憶部５５を備え、この条件情報記憶部５５の情報に基づき放送を切り換える場合、条件情報記憶部５５に、筐体の折り畳み状態、バッテリ残量、所定時間のキー操作無状態、表示部の使用状態、録音またはダウンロード中に関する情報を記憶しておくことで、それぞれの場合に１セグメント放送受信への移行／非移行を制御できるので便利である。
【００４２】
更に、携帯電話機の主制御部２０は、図８に示すフローチャートによりＥＰＧによる予約番組の受信開始時に受信放送を３セグメント放送とするか１セグメント放送とするかの選択制御を行っている。即ち、受信スタートとなってＥＰＧによる予約番組の受信を起動されたプログラムにより検出し（Ｓ４１）、予約番組でないマニュアル操作によるスタートの場合には、受信放送を３セグメント放送として図７に示すフローチャートに対応する処理へ移行する（Ｓ４２）。
【００４３】
一方、ステップＳ４１においてＹＥＳとなると、メモリテーブル５６を参照し、１セグメント放送から受信する設定の番組かを検出する（Ｓ４３、Ｓ４４）。このステップＳ４４において、１セグメント放送から受信する設定の番組であることが検出されると、１セグメント放送のデジタルラジオ放送受信に切り換える（Ｓ４５）。これによって、１セグメント放送からデジタルラジオ放送の受信を行っている状態（ＳＴ１２）へ移行し、番組終了または受信終了の操作までこの状態Ｓ１２を継続する。これに対して、ステップＳ４４において、ＮＯへ分岐すると、受信放送を３セグメント放送として図７に示すフローチャートに対応する処理へ移行する（Ｓ４２）。
【００４４】
このようにして、本実施例に係る携帯電話機では、筐体の開閉などを含めた通信機能部１に関する使用状態に応じて、１セグメント放送から受信するように放送を変更するので、ユーザに負担をかけることが少なく、可能な限り電力消費を抑制できる。なお、上記の例では、筐体が閉状態となると、切換許可メッセージを出力することなく、１セグメント放送の受信を行うようにしたが、切換許可メッセージを２個のＬＣＤの内の副ＬＣＤに表示するようにしても良いし、警告音を発して１セグメント放送の受信へ切り換えたことを知らせるように構成しても良い。
【００４５】
更に、本発明は、１セグメント放送受信と３セグメント放送受信に係るデジタル放送に限らず、音声のみ受信と音声及びデータを選択に受信可能なその他のデジタル放送全般に適用できるものである。また、切り換動作は、本実施例に記載された内容に限定されるものではなく、上記各実施形態に開示されている複数の構成要素の適宜な組み合わせにより、種々の発明を形成することができる。例えば、実施形態に示される全構成要素から幾つかの構成要素を削除してもよい。さらに、異なる実施形態にわたる構成要素を適宜組み合わせてもよい。上記の実施例では、切り換える１セグメント放送は３セグメント放送の部分受信（音声のみの受信）であり、番組は同じであるが、完全に同時同一であっても、そうでなくても構わない。また、第１の放送と第２の放送を別放送で構成しても構わない。
【図面の簡単な説明】
【００４６】
【図１】本実施例に係る携帯電話機の構成図。
【図２】本実施例に係る携帯電話機の主制御部に備えられているプログラムの一例を示す図。
【図３】本実施例に係る携帯電話機の主制御部に備えられている、地上デジタルラジオ放送受信時に電力消費を抑制する処理を実行するため手段を示す図。
【図４】本実施例に係る携帯電話機の主制御部に備えられている条件情報記憶部に記憶されている情報の一例を示す図。
【図５】本実施例に係る携帯電話機の主制御部に備えられているメモリテーブルに記憶されている情報の一例を示す図。
【図６】本実施例に係る携帯電話機が行う、地上デジタルラジオ放送受信時に電力消費を抑制する処理を説明するフローチャート。
【図７】本実施例に係る携帯電話機が行う、地上デジタルラジオ放送受信時に電力消費を抑制する処理を説明するフローチャート。
【図８】本実施例に係る携帯電話機が行う、地上デジタルラジオ放送受信時に電力消費を抑制する処理を説明するフローチャート。
【符号の説明】
【００４７】
１  通信機能部
２  デジタル放送受信部
１１  アンテナ
１２  無線部
１３  変復調部
１４  多重化分離部
１５  音声・画像処理部
１６  スピーカ
１７  マクロフォン
１８  ＬＣＤ
２０  主制御部
２２  キー操作部
２３  品質監視部
２４  開閉検出部
２５  電源部・容量検出部
３０  フロントエンド部
３１  」ＯＦＤＭ復調部
４０  バックエンド部
４１  ＭＰＥＧデマルチプレクサ
４２  画像処理部
４３  ＬＣＤインタフェース
４４  制御部
４５  ＤＲＡＭ
４６  音声処理部
５１  検出手段
５２  切換手段
５３  表示制御手段
５４  切換制御手段
５５  条件情報記憶部
５６  メモリテーブル
【図２】
2008067196.tif 000003
【図３】
2008067196.tif 000004
【図４】
2008067196.tif 000005
【図５】
2008067196.tif 000006
【図６】
2008067196.tif 000007
【図７】
2008067196.tif 000008
【図８】
2008067196.tif 000009
【図１】
2008067196.tif 000010